(57)【要約】【課題】使用者の意図しない音量変化を抑制する「音声信号調整装置」の提供。【解決手段】使用者の操作に基づいて動作及び非動作状態に切り替わり、動作状態において、レベル変動し得る音声に係る第１入力信号を所望レベルの出力信号として出力し、非動作状態に、第１入力信号のレベルに応じた出力信号として出力するレベル最適化部と、レベル最適化部からの出力信号に基づいた第２入力信号を使用者の操作に基づいたレベルに調整するレベル調整部とを備えた音声信号調整装置で、第１入力信号の入力レベル検出部と、第２入力信号のレベルを補正するレベル補正部と、レベル最適化部が非動作状態から動作状態に切り替えられたとき、検出された第１入力信号のレベルと、所望レベルとの差分に基づいて、レベル補正部により第２入力信号のレベルを第１入力信号のレベルに戻す方向に補正させる制御手段とを有する構成となる。【選択図】図２
2016048593.tif 000002
【特許請求の範囲】
【請求項１】
使用者の操作に基づいて動作状態及び非動作状態のいずれかに切り替わり、前記動作状態において、レベル変動し得る音声に係る第１入力信号に対して所望レベルの信号を出力信号として出力し、前記非動作状態において、前記第１入力信号のレベルに応じたレベルの信号を出力信号として出力するレベル最適化部と、
該レベル最適化部からの出力信号に基づいた第２入力信号を使用者の操作に基づいたレベルに調整して出力信号を得るレベル調整部とを備えた音声信号調整装置であって、
第１入力信号のレベルを検出する入力レベル検出部と、
前記第２入力信号のレベルを補正するレベル補正部と、
前記第１入力信号が前記レベル最適化部に供されている状態で、前記レベル最適化部が非動作状態から動作状態に切り替えられたときに、前記入力レベル検出部により検出された第１入力信号のレベルと、前記所望レベルとの差分に基づいて、前記レベル補正部により前記第２入力信号のレベルを前記第１入力信号のレベルに戻す方向に補正させる制御手段とを有する音声信号調整装置。
【請求項２】
前記制御手段は、前記第１入力信号が前記レベル最適化部に供されている状態で、前記最適化部が動作状態から非動作状態に切り替えられたときには、前記入力レベル検出部により検出された第１入力信号のレベルと、前記所望レベルとの差分に基づいて、前記レベル補正部により前記第２入力信号のレベルを前記所望レベルに戻す方向に補正させる請求項１に記載の音声信号調整装置。
【請求項３】
前記制御手段は、前記レベル補正部に代えて、前記レベル調整部により前記第２入力信号のレベルを補正させる請求項１又は２に記載の音声信号調整装置。
【請求項４】
前記制御手段は、前記差分が所定値以上の場合に、前記第２入力信号のレベルを補正させる請求項１乃至３のいずれかに記載の音声信号調整装置。
【請求項５】
前記制御手段は、設定された所定時間毎に前記入力レベル検出部により第１入力信号のレベルを検出させる請求項１乃至４のいずれかに記載の音声信号調整装置。
【発明の詳細な説明】
【技術分野】
【０００１】
本発明は、レベル変動し得る音声に係る入力信号を所望レベルの出力信号として出力する最適化機能と、使用者の操作に基づいたレベルに調整して出力信号を得る調整機能とを備えた音声信号調整装置に関する。
【背景技術】
【０００２】
オーディオ等を含む音響機器、車載機器において各種音楽ソースを再生する場合、これらの入力レベルに相違があると、視聴する使用者はその再生毎に出力レベルの調整が必要となり、操作が煩わしいことになる。このような操作の煩わしさを解消するために、入力レベルに相違がある場合でも出力レベルを調整することで、音楽再生を所定のボリューム（音量）に設定する、ボリューム（バランス）最適化機能（Volume Optimization、以下適宜「Ｖ／Ｏ」と略称する。）を備えた音響機器、車載機器等が提供されている。
【０００３】
上記のボリューム最適化機能を設けた、従来の音声信号調整装置１００の概略構成を図４に、その動作を図５に示す。
【０００４】
図４に示すように、音声信号調整装置１００は、ＣＤ、ＤＶＤ等の音楽ソースの再生による入力信号１０１が所定の設定値である基準レベルより低い場合には、基準レベルに合わせるべくその出力レベルを上昇させ、入力信号１０１が基準レベルより高い場合には基準レベルに合わせるべくその出力レベルを低下させて、出力レベルを一定に制御し、ボリューム（音量）を所定値とするボリューム最適化機能を有するボリューム最適化部１０２と、ボリューム最適化部１０２の出力側に設けられる、ボリューム操作部１０３とを有する。このボリューム操作部１０３は、スピーカ（不図示）に出力する出力信号１０５のレベルを使用者の操作によって制御し、ボリューム（音量）を調整する機能を有するものである。
【０００５】
図５のグラフ（Ｇ１）に示すように、ボリューム最適化部１０２の動作が停止（ＯＦＦ）している場合には、入力レベルの増加と共に出力レベルも増加する。しかし、ボリューム最適化部１０２を動作させると、図５のグラフ（Ｇ２）〜（Ｇ６）に示すように、目標値をそれぞれ‐１１ｄＢ、−１５ｄＢ、−１９ｄＢ、−２３ｄＢ及び−２７ｄＢと設定した場合には、入力レベルが増加しても、出力レベルは動作停止（ＯＦＦ）のグラフ（Ｇ１）と較べて略一定に近いレベルを維持することができ、視聴する使用者に安定した再生音量で楽曲等を提供することができる。
【０００６】
ボリューム最適化部（Ｖ／Ｏ）１０２のＯＮ−ＯＦＦ状態の入力レベル／出力レベルの関係図である図６Ａに示すように、ボリューム最適化部１０２を動作させていないＯＦＦ状態のときは（図６ＡのグラフＡ１）、入力レベルの増加に伴い出力レベルも増加するが、ボリューム最適化部１０２を動作させるＯＮ状態のときは（図６ＡのグラフＡ２）、目標とする基準レベルとなるように出力レベルを上下動させる出力制御を行っている。例えば、図６ＡのグラフＡ１の点Ｐ１の位置の出力レベルをグラフＡ２の点Ｐ２の位置の出力レベルに上昇させ、グラフＡ１の点Ｐ３の位置の出力レベルをグラフＡ２の点Ｐ４の位置の出力レベルに下降させることで、基準レベルの出力に調整する制御を行っている。
【０００７】
ところで、使用者がボリューム操作部１０３の操作によりボリューム設定を最適な値にして視聴している時に、例えば爆発音等のように一部に大きな音声が出現し、その抑制を図るためにボリューム最適化部１０２を動作（ＯＮ）させる場合がある。このとき、ボリューム最適化部１０２への入力信号のレベルが設定された基準値よりも低い場合のときは、ボリューム最適化部１０２からの出力信号のレベルが上昇することになる。そのため、使用者の意図しないボリューム（音量）の増加を招き、ボリューム操作部１０３によりボリュームを低下させる調整操作が必要となる場合が発生する。反対にボリューム最適化部１０２への入力信号のレベルが基準値より高いときには、ボリューム最適化部１０２からの出力信号のレベルが低下することになるので、ボリュームの低下を招き、ボリューム操作部１０３によりボリューム増加の調整操作が必要となる場合がある。
【０００８】
例えば、図６Ｂに示すように、ボリューム最適化部（Ｖ／Ｏ）１０２を動作させず（ＯＦＦ）、ボリューム操作部１０３を最適な値にボリューム設定をして視聴している時（Ｔ＜Ｔ１）に、ボリューム最適化部（Ｖ／Ｏ）１０２を動作させる（ＯＮ）と（Ｔ＝Ｔ１）、ボリューム最適化部１０２への入力レベルが基準値より低いときは、ボリューム最適化部１０３からの出力レベルが上昇するので、出力信号１０５の出力レベルも上昇することになる（点Ｐ５の出力レベルＳ１から点Ｐ６の出力レベルＳ２に上昇）。そのため、最適なボリューム設定に戻すべく、使用者はボリューム操作部１０３を操作して（Ｔ＝Ｔ２）、出力信号１０５の出力レベルを低下させる必要が生じ（点Ｐ７の出力レベルＳ２から点Ｐ８の出力レベルＳ１）、操作が煩わしいものとなる。
【０００９】
上記のような操作の煩わしさを解消するために、例えば、瞬時的な大音量の発生を防止すべく、最適な音量調整を行うオーディオ再生装置が提案されている（例えば、特許文献１参照）。
【先行技術文献】
【特許文献】
【００１０】
【特許文献１】特開２０１０−３３３５号公報
【発明の概要】
【発明が解決しようとする課題】
【００１１】
上記特許文献１に記載のオーディオ再生装置は、入力信号のパワー及び分散を使用することで、アタックタイム／リリースタイム（時定数）を計算し、最適な音量調整を行うものであるが、入力ソースをリアルタイムに監視し、急激な音量変化の発生の際にはゲイン／アッテネートすることから、装置構成、動作制御が複雑なものであり、使用に適したものとはいえない。
【００１２】
本発明は、信号レベルの調整によりボリュームを最適化する音声信号の調整において、最適化機能の作動時等におけるボリュームの急激な変化を簡便な装置構成により抑制できる音声信号調整装置の提供を目的とするものである。
【課題を解決するための手段】
【００１３】
本発明に係る音声信号調整装置は、使用者の操作に基づいて動作状態及び非動作状態のいずれかに切り替わり、前記動作状態において、レベル変動し得る音声に係る第１入力信号に対して所望レベルの信号を出力信号として出力し、前記非動作状態において、前記第１入力信号のレベルに応じたレベルの信号を出力信号として出力するレベル最適化部と、該レベル最適化部からの出力信号に基づいた第２入力信号を使用者の操作に基づいたレベルに調整して出力信号を得るレベル調整部とを備えた音声信号調整装置であって、第１入力信号のレベルを検出する入力レベル検出部と、前記第２入力信号のレベルを補正するレベル補正部と、前記第１入力信号が前記レベル最適化部に供されている状態で、前記レベル最適化部が非動作状態から動作状態に切り替えられたときに、前記入力レベル検出部により検出された第１入力信号のレベルと、前記所望レベルとの差分に基づいて、前記レベル補正部により前記第２入力信号のレベルを前記第１入力信号のレベルに戻す方向に補正させる制御手段とを有する構成となる。
【００１４】
このような構成によれば、第１入力信号がレベル最適化部に供されている状態で、レベル最適化部が非動作状態から動作状態に切り替えられたときに、制御手段は、入力レベル検出部により検出された第１入力信号のレベルと、所望レベルとの差分に基づいて、レベル補正部により第２入力信号のレベルを第１入力信号のレベルに戻す方向に補正させるので、レベル最適化部を非動作状態から動作状態にしたときの意図しない音量の発生を抑制することができるので、使用者によるレベル調整部の操作によるボリュームの調整を不要とすることができる。
【００１５】
本発明に係る音声信号調整装置において、前記制御手段は、前記第１入力信号が前記レベル最適化部に供されている状態で、前記最適化部が動作状態から非動作状態に切り替えられたときには、前記入力レベル検出部により検出された第１入力信号のレベルと、前記所望レベルとの差分に基づいて、前記レベル補正部により前記第２入力信号のレベルを前記所望レベルに戻す方向に補正させる構成とすることができる。
【００１６】
このような構成によれば、レベル最適化部が動作状態から非動作状態に切り替えられたときに、制御手段は、前記入力レベル検出部により検出された第１入力信号のレベルと、前記所望レベルとの差分に基づいて、前記レベル補正部により前記第２入力信号のレベルを前記所望レベルに戻す方向に補正させるので、レベル最適化部を動作状態から非動作状態にしたときの意図しない音量の発生を抑制することができ、使用者によるレベル調整部の操作による調整を必要としない。すなわち、レベル最適化部の動作を停止すると、所望レベルに最適化されていた出力信号が最適化されずにレベル最適化部をいわゆるスルーした出力信号（レベル最適化部が非動作状態において、第１入力信号のレベルに応じたレベルの信号である出力信号）となり、第１入力信号のレベルであるから、最適なレベルに維持するために使用者はレベル調整部の操作によりレベル調整が必要となるが、上記したように、所望レベルに戻す方向に補正させるので、使用者によるレベルの調整操作を不要とする。
【００１７】
本発明に係る音声信号調整装置において、前記制御手段は、前記レベル補正部に代えて、前記レベル調整部により前記第２入力信号のレベルを補正させる構成とすることができる。
【００１８】
このような構成によれば、制御手段は、レベル補正部に代えて、レベル調整部により、
第２入力信号のレベルを補正させるようにすることができるので、レベル補正部を省略でき、装置構成がより簡便なものとなる。
【００１９】
本発明に係る音声信号調整装置において、前記制御手段は、前記差分が所定値以上の場合に、前記第２入力信号のレベルを補正させる構成とすることができる。
【００２０】
このような構成によれば、制御手段は、差分が所定値以上の場合に、レベル最適化部からの出力信号のレベルを補正するようにしたので、使用者によるレベル調整部による調整の必要がない、差分が僅少な所定値未満の場合は、補正を不要にすることができる。
【００２１】
本発明に係る音声信号調整装置において、前記制御手段は、設定された所定時間毎に前記入力レベル検出部により第１入力信号のレベルを検出させる構成とすることができる。
【００２２】
このような構成によれば、制御手段が設定された所定時間毎に入力レベル検出部により第１入力信号のレベルを検出させるので、レベル最適化部が非動作状態から動作状態に切り替えられたときに、又は動作状態から非動作状態に切り替えられたときに、差分により迅速に第２入力信号のレベルを補正することができる。
【発明の効果】
【００２３】
本発明に係る音声信号調整装置によれば、所望レベルの出力信号として、音量を最適化する最適化機能を動作、非動作のいずれかに切り替える際において生じる、音声の急激な変化を簡便な装置構成により抑制することが可能となる。これにより、音声の急激な変化に対する使用者のレベル調整の操作を不要とすることができる。
【図面の簡単な説明】
【００２４】
【図１】本発明の実施の形態に係る音声信号調整装置の構成を示すブロック図である。
【図２】本発明の実施の形態に係る音声信号調整装置の制御部（制御手段）による処理手順を示すフローチャートである。
【図３Ａ】図１に示すボリューム最適化部（Ｖ／Ｏ）（レベル最適化部）の動作の開始による、オフセット部（レベル補正部）及び音声信号調整装置による出力信号の出力レベルの関係を示すグラフ図である。
【図３Ｂ】図１に示すボリューム最適化部（Ｖ／Ｏ）（レベル最適化部）の動作の停止による、オフセット部（レベル補正部）及び音声信号調整による出力信号の出力レベルの関係を示すグラフ図である。
【図４】従来の音声信号調整装置の構成を示すブロック図である。
【図５】従来の音声信号調整装置による信号の入力レベルと出力レベルとの関係を示すグラフ図である。
【図６Ａ】従来の音声信号調整装置のボリューム最適化部（レベル最適化部）のＯＮ−ＯＦＦ状態の入力レベル／出力レベルの関係を示すグラフ図である。
【図６Ｂ】従来の音声信号調整装置のボリューム最適化部（レベル最適化部）のＯＦＦからＯＮ状態に移行する際の音声信号調整装置からの出力信号のレベルの変動を示すグラフ図である。
【発明を実施するための形態】
【００２５】
本発明の実施の形態について図面を用いて説明する。
【００２６】
本発明の実施の形態に係る音声信号調整装置は、図１に示すように構成される。
【００２７】
図１において、音声信号調整装置１１は、ＣＤ、ＤＶＤ等の各種音楽ソースからのレベルの異なる装置入力信号１２（第１入力信号）を一定の所望レベルの信号として出力し、音量を一定とするボリューム最適化機能を有するボリューム最適化部１３（レベル最適化部）と、ボリューム最適化部１３の信号出力側に設けられ、入力信号（第２入力信号）のレベルを使用者の操作に基づいて調整して装置出力信号１６として出力するボリューム操作部１５（レベル調整部）と、装置入力信号１２のレベルを検出する入力レベル検出部１７と、ボリューム最適化部１３とボリューム操作部１５との間に設けられ、ボリューム最適化部１３からの出力信号のレベルをオフセット値の設定により補正するオフセット部１８（レベル補正部）と、これらを制御する装置コントローラとしての機能を有する制御部１９（制御手段）とを有する。
【００２８】
装置入力信号１２は、例えばＣＤ、ＤＶＤ、ラジオ等の音楽ソースからの音声の信号であり、音楽ソースの種類により信号の入力レベルが相違している場合が多い。そのため、装置入力信号１２をそのまま出力すると、スピーカー（不図示）からの出力音声のボリューム（音量）は相違するので、使用者の好む最適な音量に調整する必要がある。
【００２９】
ボリューム最適化機能（Ｖ／Ｏ）を有するボリューム最適化部１３は、装置入力信号１２がレベルの相違する入力信号の場合でも、予め設定された所望レベルの出力信号に最適化してボリューム（音量）を一定とする装置である（レベル最適化部）。上記のボリューム最適化機能は、入力信号が所定の基準レベルより低い場合には出力信号のレベルを上げ、入力信号が基準レベルより高い場合には出力信号のレベルを下げることで、出力レベルを所望レベルにするように制御する、音量の変動解消ソリューションである（例えば、「Dts Symmetry」、「SRS TruVolume」、「Dolby Volume」等）。
【００３０】
ボリューム操作部１５（レベル操作部）は、使用者の操作に応じて入力信号（第２入力信号）のレベルを調整（ボリューム調整）する機器であり、押し釦式、ダイヤル式、タッチパネル式等のものがある。ボリューム最適化部１３を動作させないときでも（ＯＦＦ状態）、各種音楽ソースの入力レベルの相違に応じて、ボリューム操作部１５の操作により最適なレベルに調整することができる。
【００３１】
入力レベル検出部１７は、制御部１９による制御の下、装置入力信号１２（第１入力信号）のレベル（例えば、単位「ｍｖＲｍｓ」）を検出する。制御部１９は、入力レベル検出部１７により検出された装置入力信号１２（第１入力信号）のレベルと、装置入力信号１２が入力されたときにボリューム最適化部１３から出力される所望レベルの出力信号のレベルとの変動分である差分（レベル）を算出し、記憶する。なお、入力レベル検出部１７でのレベル検出頻度は、低周期の平均を取ることで、使用者に対して違和感を与えないようにしても良い。
【００３２】
オフセット部１８（レベル補正部）は、制御部１９による制御の下、上記した算出、記憶した差分（レベル）に基づいて、ボリューム最適化部１３からの出力信号のレベルをオフセットして補正する。例えば、装置入力信号１２（第１入力信号）がボリューム最適化部１３に供されている状態で、ボリューム最適化部１３が非動作状態から動作状態に切り替えられ、動作開始したボリューム最適化部１３に装置入力信号１２が入力されたとき、装置入力信号１２のレベルがボリューム最適化部１３にて最適化する所望のレベルよりも低いときは、ＯＮ状態のボリューム最適化部１３は、装置入力信号１２のレベルを所望レベルに増加させて出力するが、オフセット部１８は、この所望レベルの出力信号に対して、差分（レベル）に基づいて、出力信号を所望レベルから装置入力信号１２（第１入力信号）のレベルに戻す方向にオフセットさせて補正する機能を有する。これとは逆に、装置入力信号１２が所望レベルよりも高いレベルであるときは、ボリューム最適化部１３により所望レベルに減少させて出力されるが、オフセット部１８は、この所望レベルの出力信号に対して、差分（レベル）に基づいて、出力信号を所望レベルから装置入力信号１２（第１入力信号）のレベルに戻す方向にオフセットさせて補正する。
【００３３】
また、装置入力信号１２（第１入力信号）がボリューム最適化部１３に供されている状態で、ボリューム最適化部１３が動作状態から非動作状態に切り替えられ、動作が停止したボリューム最適化部１３に装置入力信号１２が入力されたとき、装置入力信号１２は所望レベルの出力信号に最適化されることなく（レベルを変動しない）、ボリューム最適化部１３をいわゆるスルーの状態で出力される（装置入力信号１２（第１入力信号）のレベルに応じたレベルの信号で出力される）。そこで、制御部１９は、装置入力信号１２が所望レベルより低い場合、高い場合のいずれのときも、オフセット部１８により、差分（レベル）に基づいて、出力信号を所望レベルに戻す方向にオフセットさせて補正させる。この補正により、ボリューム最適化部１３を動作状態から非動作状態に切り替えた場合でも、ボリューム調整部１５への入力信号のレベルは、ボリューム最適化部１３が動作状態であったときの所望レベルに補正されるので、使用者によるボリューム調整部１５の操作を必要としないようにできる。
【００３４】
次に、本発明の実施形態に係る音声信号調整装置１１の動作について、その手順を示す図２を参照して説明する。なお、手順の説明に際しては、構成を示す図１の他に、ボリューム最適化部１２（Ｖ／Ｏ）の動作の開始による、オフセット部１８（補正部）及び装置出力信号１６の出力レベルの関係を示すグラフ図である図３Ａ、及びボリューム最適化部１２の動作の停止による、オフセット部１８及び音声信号調整による装置出力信号１６の出力レベルの関係を示すグラフ図である図３Ｂを適宜参照する。
【００３５】
ＣＤ、ＤＶＤ等の音楽ソースを再生し、音声の装置入力信号１２のレベルを使用者によるボリューム操作部１５の操作により所定の値（最適な値）に設定して、視聴を開始する（Ｓ１１）。このとき、ボリューム最適化部１３は、動作停止の状態（ＯＦＦ）で使用者はボリューム操作部１５の操作のみで装置出力信号１６のレベルを所定の値（最適な値）に設定している場合と、ボリューム最適化部１３が動作状態（ＯＮ）の下でボリューム操作部１５を操作して装置出力信号１６のレベルを所定の値（最適な値）に設定している場合の２通りがある。ボリューム最適化部１３が動作停止の状態（ＯＦＦ）の場合には、装置入力信号１２（第１入力信号）は、ボリューム最適化部１３、オフセット部１８をそのままレベルの変動なく、いわゆるスルーの状態で出力され、ボリューム操作部１５に入力され（第２入力信号）、ボリューム操作部１５にてレベルを所定の値最適な値に設定される。
【００３６】
上記の視聴状態の時に、制御部１９は、予め設定された時間間隔で入力レベル検出部１７により装置入力信号１２のレベルを検出し、この検出した装置入力信号１２のレベルと、ボリューム最適化部１３での最適化レベルとして設定されている所望レベルとの差を算出して、差分（レベル）として取得する（Ｓ１２）。例えば、設定されている所望レベルに対し、検出した装置入力信号１２の検出レベルが音圧レベルで６ｄＢ低い場合には、差分レベルは６ｄＢとして取得される。なお、ボリューム最適化部１３が現実に動作している時には、装置入力信号１２が所望レベルより６ｄＢ低い場合には、ボリューム最適化部１３は装置入力信号１２のレベルを６ｄＢ増加させて所望レベルとして、ボリューム最適化部１３から出力する。
【００３７】
制御部１９がオフセット部１８により、ボリューム最適化部１３からの出力信号にオフセット値を設定して補正するのは、音楽ソースを再生して所定の出力レベルで視聴している時に、ボリューム最適化部１３を動作させた際、又は動作中のボリューム最適化部１３の動作を停止させた際に行われる。したがって、制御部１９は、ボリューム最適化部１３が動作中か否かを判定し（Ｓ１３）、ボリューム最適化部１３の動作が停止中であるときに（Ｓ１３のＮＯ）、更にボリューム最適化部１３の動作が開始（ＯＮ）されたか否かを判定する（Ｓ１４）。ボリューム最適化部１３の動作が開始されないときは（Ｓ１４のＮＯ）、引き続き所定時間間隔で装置入力信号１２のレベルを検出し、差分レベルの取得を行う（Ｓ１２）。
【００３８】
一方、ボリューム最適化部１３が動作中であるときは（Ｓ１３のＹＥＳ）、更にボリューム最適化部１３の動作が停止（ＯＦＦ）となった否かを判定する（Ｓ１５）。ボリューム最適化部１３の動作が停止しないときは（Ｓ１５のＮＯ）、引き続き所定時間間隔で装置入力信号１２のレベルを検出し、差分レベルの取得を行う（Ｓ１２）。
【００３９】
停止中のボリューム最適化部１３の動作が開始された際（Ｓ１４のＹＥＳ）、又は動作中のボリューム最適化部１３の動作が停止した際（Ｓ１５のＹＥＳ）、制御部１９は、ボリューム最適化部１３からの出力信号にオフセット値を設定するか否かを判定する（Ｓ１６）。制御部１９は、上述した差分（レベル）の値が予め設定された所定値以上となるときに（Ｓ１６のＹＥＳ）、ボリューム最適化部１３からの出力信号にオフセット値を設定してレベルを補正する（Ｓ１７）。差分（レベル）が所定値未満のときは（Ｓ１６のＮＯ）、オフセット値の設定による出力信号のレベルの補正を行わずに、引き続き所定時間間隔で装置入力信号１２のレベルを検出し、差分レベルの取得を行う（Ｓ１２）。差分（レベル）が僅少値であるときは、オフセット値の設定による補正の必要性に乏しいと考えられるので、差分レベルが所定値以上のときにオフセット値の設定による出力信号の補正を行うものとした。なお、差分レベルが所定値以上のときにオフセット値の設定とする要件を課すことなく一律に差分レベルによるオフセット値の設定による出力信号のレベルの補正を行ってもよい。音楽ソース等の再生の終了により、装置入力信号１２のレベル検出及びレベル検出に基づくオフセット値の設定による音声信号の調整が終了する（Ｓ１７のＹＥＳ）。音楽ソース等の再生を終了せずに続行するときは（Ｓ１７のＮＯ）、引き続き所定時間間隔で装置入力信号１２のレベルを検出し、差分（レベル）を算出して取得を行う（Ｓ１２）。
【００４０】
図３Ａに示すように、ボリューム最適化部１３が動作の停止（ＯＦＦ）状態（１）から、動作の開始（ＯＮ）状態（２）となった際に（Ｔ＝Ｔａ）、装置入力信号１２がボリューム最適化部１３による所望レベルより低い場合、例えば、音圧レベルで６ｄＢ低いときには、装置入力信号１２は動作状態（ＯＮ状態）となったボリューム最適化部１３により６ｄＢ高い所望レベルにして出力される。そのため、従来は、ボリューム最適化部１３がＯＮ状態になると、ＯＦＦ状態のときのボリューム操作部１５への入力信号に対して６ｄＢ高い音圧レベルで入力されることになり、使用者は最適なボリュームとすべく、ボリューム操作部１５への操作により６ｄＢ低くする必要があった。しかし、図３Ａに示すように、制御部１９がオフセット部１８によりボリューム最適化部１３からの出力信号に差分レベルのオフセット値である６ｄＢを設定し（６ｄＢ低くする）、装置入力信号１２のレベルに戻す方向に補正させるので（図３Ａの（４）により（３）〜（５）へ変動）、ボリューム操作部１６への操作を必要とせずに、装置出力信号１６のレベルを一定にすることができる（図３Ａの（６））。装置入力信号１２が所望レベルよりも高い場合も、ボリューム最適化部１３が動作の停止（ＯＦＦ）状態（１）から、動作の開始（ＯＮ）状態（２）となった際には、ボリューム最適化部１３からの出力信号のレベル（所望レベル）を、差分（レベル）でオフセットして装置入力信号１２のレベルに戻す方向に補正するので（レベルを高くする）、ボリューム操作部１６への操作を必要とせずに、装置出力信号１６のレベルを一定にすることができる。
【００４１】
また、図３Ｂに示すように、ボリューム最適化部１３が動作中の時に（図３Ｂの（７））、動作が停止状態（図３Ｂの（８））となった際には（Ｔ＝Ｔｂ）、装置入力信号１２が例えば、所望レベルにたいして音圧レベルで６ｄＢ低いときには、ボリューム最適化部１３が動作状態（ＯＮ状態）のときには所望レベルで出力されていたのに対して、停止状態（ＯＦＦ状態）となったボリューム最適化部１３からの出力信号は所望レベルより６ｄＢ低いレベルでそのまま出力されることになる。そのため、従来は、ボリューム最適化部１３がＯＦＦ状態になると、最適化機能が停止するので、ＯＮ状態のときのボリューム操作部１５への入力信号に対して６ｄＢ低い音圧レベルで入力されることになり、使用者は最適なボリュームとすべく、ボリューム操作部１５への操作で６ｄＢ高くする必要があった。しかし、図３Ｂに示すように、制御部１９がオフセット部１８によりＯＦＦ状態となったボリューム最適化部１３からの出力信号（スルー状態となり、装置入力信号１２と同じく所望レベルより６ｄＢ低い信号）に差分レベルのオフセット値である、６ｄＢを設定し、最適化されていた時の所望レベルに戻す方向（６ｄＢ高くする）に補正させるので（図３Ｂの（１０）により（９）〜（１１）へ変動する）、ボリューム操作部１６への操作を必要とせずに、装置出力信号１６のレベルを一定にすることができる（図３Ｂの（１２））。
【００４２】
このように、本実施形態に係る音声信号調整装置によれば、使用者の操作によりボリューム調整部を調整して音楽ソースの再生、視聴している途中で、ボリューム最適化部を動作状態及び非動作状態のいずれかに切り替えたときに生じる、使用者の意図しない音量変化を抑制するので、使用者によるボリューム調整部の操作を不要にできる。したがって、本実施形態に係る音声信号調整装置は、ボリューム最適化機能（Ｖ／Ｏ）付の車載器、スマートフォン及びオーディオ機器等に適用することで、その機能を発揮することができる。
【００４３】
なお、オフセット値の設定により、ボリューム調整部１５への入力信号（第２入力信号）のレベルを補正するが、オフセット値を設定する動作を反映させる過渡状態において、音量変化（音揺れ）が見られる可能性があるため、出力が安定するまでミュート（ＭＵＴＥ）をかけてもよい。
【産業上の利用可能性】
【００４４】
以上、説明したように、本発明に係る音声信号調整装置は、レベル（ボリューム）最適化機能を動作状態及び非動作状態のいずれかに切り替えたときに生じる、使用者の意図しない音量変化を抑制するので、レベル（ボリューム）最適化機能と、使用者の操作に基づいたレベルに調整して出力信号を得るレベル（ボリューム）調整機能とを備えた音声信号調整装置に有用である。
【符号の説明】
【００４５】
１１    音声信号調整装置（第１入力信号）
１２    装置入力信号
１３    ボリューム最適化部（レベル最適化部）
１５    ボリューム操作部（レベル操作部）
１６    装置出力信号
１７    入力レベル検出部
１８    オフセット部（レベル補正部）
１９    制御部（制御手段）
【図１】
2016048593.tif 000003
【図２】
2016048593.tif 000004
【図３Ａ】
2016048593.tif 000005
【図３Ｂ】
2016048593.tif 000006
【図４】
2016048593.tif 000007
【図５】
2016048593.tif 000008
【図６Ａ】
2016048593.tif 000009
【図６Ｂ】
2016048593.tif 000010